(57)【要約】【課題】従来、携帯端末装置では、ネットワーク制限や送受信データサイズの制限により、ホームページの修正または更新を直接行うための機能を備えていない。【解決手段】携帯端末装置１０からの操作によりホームページ修正機能や、さらに直接ＨＴＭＬタグを修正する機能、ファイル転送機能、プレビュー機能を備える中継処理装置１１と、更新対象のホームページを記憶するウェブサイト受信出力装置１２とを有する。【選択図】  図２
2007115100.tif 000002
【特許請求の範囲】
【請求項１】
ウェブサイト受信出力装置と、ファイルを受信してコンテンツ更新の処理を実行してデータを中継するための中継処理装置とを備えるサーバファイル更新システムであって、
前記中継処理装置は、前記ウェブサイト受信出力装置から最新ファイルをネットワークを介して取得するファイル取得部と、前記ファイル取得部で取得する最新ファイルを識別するファイル識別子、ファイルの更新箇所を識別する変更箇所識別子、およびコンテンツを識別するコンテンツ識別子を関連付けたコンテンツデータに解析または変換するファイル解析部と、前記ファイル解析部で解析または変換されたコンテンツデータを送信するコンテンツデータ送信部と、ファイル識別子、更新箇所識別子、および新コンテンツ識別子を関連付けたコンテンツデータを受信する新コンテンツデータ受信部と、前記新コンテンツデータ受信部で受信する新コンテンツデータを解析しファイルに変換するコンテンツ解析部と、前記コンテンツ解析部で変換されるファイルを作成するファイル作成部と、前記ファイル作成部で作成されるファイルをウェブサイト受信出力装置に送信するファイル送信部とを有し、
前記携帯端末装置は、前記中継処理装置からコンテンツデータをネットワークを介して取得するコンテンツデータ取得部と、前記コンテンツ取得部で取得するコンテンツデータを出力または更新に必要な形式に解析または変換するコンテンツデータ解析部と、前記コンテンツデータ解析部で解析されるコンテンツデータを携帯端末装置に出力するコンテンツデータ出力部と、前記コンテンツデータ解析部で解析されるコンテンツデータを前記携帯端末装置の出力を確認しながらコンテンツデータを変更するコンテンツデータ更新部と、前記コンテンツデータ更新部で更新されるコンテンツデータを新コンテンツデータに変換して作成する新コンテンツデータ作成部と、前記新コンテンツデータ作成部で作成される新コンテンツデータを中継処理装置に送信する新コンテンツデータ送信部とを有する
ことを特徴とするサーバファイル更新システム。
【発明の詳細な説明】
【技術分野】
【０００１】
本発明は、パソコンブラウザなどで参照されるサーバファイルを解析して、対象コンテンツを携帯端末装置の操作により更新する技術に関する。
【背景技術】
【０００２】
従来、パソコンブラウザで参照されるサーバファイルを更新する方法として、ホームページ修正ソフトおよびファイル転送ソフトを利用する方法、ウェブシステムを利用して直接ＨＴＭＬタグを修正する方法や、サーバにログインして直接ファイルを修正する方法が挙げられる。
【０００３】
ホームページ修正ソフトでは、市販されている、もしくはフリーでダウンロード可能なアプリケーションプログラムをパソコンにインストールしてファイルを修正し、その場でパソコンブラウザを使って修正ファイルを確認し、そのファイルをサーバにアップロードすることが可能である（例えば、非特許文献１または２参照）。
【０００４】
このように従来の技術では、特定のアプリケーションプログラムをインストールすることにより、例えば飲食店の空席情報を更新し、アップロードすることができる。
【０００５】
しかし前記のどの方法においても、パソコンの操作に関する知識はもちろん、更新するファイルフォーマットに関しても知識、さらにファイル転送などネットワーク技術に関する知識が必要である。そしてなによりネットワーク接続可能なパソコンがないことには、作業を行うことができないのが現状である。
【０００６】
そこで目の前にパソコンがなくても、専門的な知識がなくても、ちょっとした時間に携帯端末装置からサーバファイルを更新することができるようにすることで、リアルタイムな情報やおすすめのメニューなどのコンテンツを更新することができる。
【非特許文献１】http://www.sixapart.jp/typepad/inside/2005/09/001091.html
【非特許文献２】http://sugutsukaeru.jp/index.html
【発明の開示】
【発明が解決しようとする課題】
【０００７】
しかし携帯端末装置の仕様で、ネットワーク接続可能なサーバがアプリケーションのダウンロード元のサーバしかアクセスできない制限や、送受信可能なデータサイズに制限があること、携帯端末装置のブラウザではみることができないファイルがある、という課題がある。
【課題を解決するための手段】
【０００８】
以上の課題を解決するために、本発明の特徴に係るサーバファイル更新システムは、ウェブサイト受信出力装置と、ファイルを受信してコンテンツ更新の処理を実行してデータを中継するための中継処理装置とを備えるサーバファイル更新システムであって、中継処理装置は、ウェブサイト受信出力装置から最新ファイルをネットワークを介して取得するファイル取得部と、ファイル取得部で取得する最新ファイルを識別するファイル識別子、ファイルの更新箇所を識別する変更箇所識別子、およびコンテンツを識別するコンテンツ識別子を関連付けたコンテンツデータに解析または変換するファイル解析部と、ファイル解析部で解析または変換されたコンテンツデータを送信するコンテンツデータ送信部と、ファイル識別子、更新箇所識別子、および新コンテンツ識別子を関連付けたコンテンツデータを受信する新コンテンツデータ受信部と、新コンテンツデータ受信部で受信する新コンテンツデータを解析しファイルに変換するコンテンツ解析部と、コンテンツ解析部で変換されるファイルを作成するファイル作成部と、ファイル作成部で作成されるファイルをウェブサイト受信出力装置に送信するファイル送信部とを有し、携帯端末装置は、中継処理装置からコンテンツデータをネットワークを介して取得するコンテンツデータ取得部と、コンテンツ取得部で取得するコンテンツデータを出力または更新に必要な形式に解析または変換するコンテンツデータ解析部と、コンテンツデータ解析部で解析されるコンテンツデータを携帯端末装置に出力するコンテンツデータ出力部と、コンテンツデータ解析部で解析されるコンテンツデータを携帯端末装置の出力を確認しながらコンテンツデータを変更するコンテンツデータ更新部と、コンテンツデータ更新部で更新されるコンテンツデータを新コンテンツデータに変換して作成する新コンテンツデータ作成部と、新コンテンツデータ作成部で作成される新コンテンツデータを中継処理装置に送信する新コンテンツデータ送信部とを有している。
【０００９】
上記構成による本発明によれば、コンテンツデータを利用することで、携帯端末装置で出力結果を見ながら視覚的にコンテンツデータの更新や、中継処理装置でデータを解析することで、携帯端末装置で送受信されるデータの最適化を行うことが出来る。
【発明の効果】
【００１０】
本発明に係るファイル更新システムによって、利用者はパソコンがなくてもサーバファイルを、携帯端末装置でリアルタイムに更新することができる。
【００１１】
なお本発明は、サーバの台数やロケーション、ファイルの数やフォーマットに制限されることなくネットワークに接続可能なサーバであれば、サーバファイルを携帯端末装置から更新することができる。
【発明を実施するための最良の形態】
【００１２】
図１に、本発明の最良の実施の形態に係るサーバファイル更新システム１の一例を示す。
【００１３】
＜サーバファイル更新システム＞
本発明の最良の実施の形態に係るサーバファイル更新システム１は、ウェブサイト受信出力装置１２と、ファイルを受信してコンテンツ更新の処理してデータを中継する中継処理装置１１と、コンテンツデータを受信して表示処理を行いコンテンツデータを更新する携帯端末装置１０とを有している。携帯端末装置１０は、いわゆる携帯電話機である。また、ウェブサイト受信出力装置１２には、インターネット等のネットワークを介してユーザ端末１３が接続される。
【００１４】
ユーザ端末１３はＰＣ（パーソナルコンピュータ）、携帯電話機、ＰＤＡ（パーソナル・デジタル・アシスタンツ）等の情報処理端末である。ユーザは、ユーザ端末１３を利用して、ホームページを見ている。そしてそのホームページでは、携帯端末装置１０の操作によって更新された飲食店舗の新メニュー情報が表示されていることもある。
【００１５】
このように、本発明の最良の実施の形態に係るサーバファイル更新システム１では、携帯端末装置１０の操作で更新したコンテンツデータを中継処理装置１１で処理を実施し、ウェブサイト受信出力装置１２で提供するウェブサイトのコンテンツデータを更新することができる。したがって、上記の概要のように、本発明の最良の実施の形態に係るサーバファイル更新システム１では、例えばいままではＰＣがなければ更新できなかったコンテンツデータなどを携帯電話機等の携帯端末装置１０の操作で更新する、といった具合に新しいコンテンツ更新の手段を提供することも可能にある。
【００１６】
図２で示すのは、図１に示した本発明の最良の実施の形態に係るサーバファイル更新システム１における機能ブロック図の一例である。図１及び図２にあるように、本発明の最良の実施の形態のサーバファイル更新システム１は、ウェブサイト受信出力装置１２と、中継処理装置１１と、携帯端末装置１０とを有している。
【００１７】
なお、図２に示すサーバファイル更新システム１では、ウェブサイト受信出力装置１２ａおよびウェブサイト受信出力装置１２ｂを有しているが、このウェブサイト受信出力装置１２ａおよび１２ｂで図１に示すウェブサイト受信出力装置１２を構成する。ウェブサイト受信出力装置１２ａおよび１２ｂは、図２に示すように独立して構成されていてもよく、また、一体で構成されていても構わない。
【００１８】
＜携帯端末装置＞
携帯端末装置１０は、中継処理装置１１に接続してホームページのコンテンツを表示する。また、携帯端末装置１０は、中継処理装置１１に接続してホームページのコンテンツを更新する。この携帯端末装置１０は、例えば、携帯電話機、ＰＨＳ（パーソナル・ハンディフォン・システム）、ＰＤＡ（パーソナル・デジタル・アシスタンツ）などが挙げられる。そして、この携帯端末装置１０は、コンテンツデータ取得部１０１と、コンテンツデータ解析部１０２と、コンテンツデータ出力部１０３と、コンテンツデータ更新部１０４と、新コンテンツデータ作成部１０５と、新コンテンツデータ送信部１０６とを有する。
【００１９】
なお、携帯端末装置１０の機能ブロックは、具体的に図示しないが、ハードウェア、ソフトウェア、又はハードウェア及びソフトウェアの両方として実現され得る。具体的には、コンピュータを利用するものであれば、ＣＰＵや主メモリ、バス、あるいはハードディスクや不揮発性メモリなどの記憶装置、ＣＤ−ＲＯＭやＤＶＤ−ＲＯＭなどの記憶メディア、それらメディアの読取ドライブ、各種通信や印刷機器用の送受信ポート、その他の周辺装置などのハードウェア構成部や、それらハードウェアを制御するためのドライバプログラムやその他アプリケーションプログラム、情報入力に利用される入力デバイス、インターフェースなどが挙げられる。
【００２０】
これらハードウェアやソフトウェアは、メモリ上に展開したプログラムをＣＰＵで順次演算処理したり、メモリやハードディスク上に保持されているデータや、インターフェースを介して入力されたデータなどを加工、蓄積、出力処理したり、あるいは各ハードウェア構成部の制御を行ったりするために利用される。
【００２１】
また、この発明はシステムとして実現できるのみでなく、方法としても実現可能である。また、このような発明の一部をソフトウェアとして構成することができることもできる。さらに、そのようなソフトウェアをコンピュータに実行させるために用いるソフトウェア製品、及び同製品を記録媒体に固定した記録媒体も、当然にこの発明の技術的な範囲に含まれる。
【００２２】
コンテンツデータ取得部１０１は、コンテンツデータを取得する機能を有する。  
「コンテンツデータ」とは、ファイル識別子、更新箇所識別子、コンテンツ識別子、を関連付けたデータをいう。なお、このコンテンツデータは、例えば、パソコンで更新されたホームページの各要素を表すためのデータである。
【００２３】
「ファイル識別子」は、ウェブサイト受信出力装置１２の記憶装置に保持されているファイルを識別するための情報である。このファイル識別子を利用して、携帯端末装置１０と中継処理装置１１、中継処理装置１１とウェブサイト受信出力装置１２のファイルを更新することができる。
【００２４】
「更新箇所識別子」は、ファイル内のデータでファイルの更新箇所を識別するための情報である。そしてファイルの更新箇所とは、ファイル内のデータに任意の場所で設定する情報をいい、設定数などは複数であってよい。このファイルの更新箇所は、例えばホームページにおいて、おすすめメニュー箇所や、店内の写真の表示箇所などが挙げらえる。
【００２５】
「コンテンツ識別子」は、ファイルの更新箇所内のデータでホームページを構成するコンテンツを識別するための情報である。そしてコンテンツとは、テキスト、画像、タグ、あるいはそれらの組み合わせなどさまざまな形態のデータであってよい。このコンテンツは、例えばホームページのお勧めメニューにおける献立の名前や、献立の写真などを示すようなコンテンツが挙げられる。あるいは、テキストなどであってもフォントの大きさや色、表示のレイアウト位置などをコンテンツとしてもよい。
【００２６】
なお、このコンテンツそのもののデータの取得、およびコンテンツ識別子を含むコンテンツデータの取得は、例えばコンテンツデータにコンテンツのデータを含まれるという具合に同時に行われても良い。あるいは、コンテンツデータが画像であってデータサイズが大きく、携帯端末装置１０の記憶容量やネットワークトラフィックに問題が生じる場合、例えばホームページの更新に際して該当するコンテンツのみダウンロードするなど、別々に取得する構成としてもよい。
【００２７】
図３に示すのは、このコンテンツデータの一例について説明するための概念図である。図３にあるように、例えば、ある飲食店舗のホームページのコンテンツを更新するためのコンテンツデータは、ファイル識別子である「トップページ」と、更新箇所識別子である「新着情報」、そしてコンテンツ識別子として「更新日」というコンテンツを識別するための情報が関連付けられた情報である。あるいは、同じく「トップページ」、「新着情報」、「新着情報」を示すコンテンツの識別子が関連付けられた情報である。
【００２８】
また、別のコンテンツデータとして、例えば、別の店舗のホームページのコンテンツを更新するためのコンテンツデータは、「柏店」と「紹介」、そしてコンテンツ「店長の写真」を識別するための情報が関連付けられた情報である。あるいは「柏店」と「営業時間」と「平日時間」というコンテンツ識別子とが関連付けられた情報である。
【００２９】
このように、コンテンツデータとして「ファイル識別子」、「更新箇所識別子」、「コンテンツ識別子」とが関連付けられていることで、次の説明するような処理により、飲食店舗のホームページを携帯端末装置で出力し、更新することができる。
【００３０】
なお、上記コンテンツデータの取得は、例えばサーバファイルがホームページではなく、アプリケーションの設定ファイルであれば、その設定ファイルにコンテンツデータを含ませると良い。そうすることで、中継処理装置１１でウェブサイト受信出力装置１２からコンテンツデータを受信し、そこから携帯端末装置１０に対して無線通信などにより送信し、携帯端末装置１０でコンテンツデータを取得することができる。  
あるいは、テンプレートなどのファイルを予め中継処理装置１１に保存しておくことにより取得する方法が挙げられる。また、その際に、例えばユーザが所望のサーバファイルのコンテンツデータを任意に選択して、ダウンロードする形式であっても良いし、指定のキーワードを含むサーバファイルに関して、そのコンテンツデータをダウンロードする形式であってもよい。
【００３１】
コンテンツデータ解析部１０２は、コンテンツデータ取得部１０１にて取得したコンテンツデータ中のファイル識別子と更新箇所識別子、そしてコンテンツ識別子を解析する機能を有する。
【００３２】
コンテンツデータ出力部１０３は、コンテンツデータ解析部１０２で解析したコンテンツデータ中のコンテンツ識別子を出力する機能を有する。  
このように、コンテンツデータ出力部１０３によって、例えば「店舗のお勧めメニューを示すコンテンツ」を識別するためのコンテンツ識別子が出力される。そして出力されたコンテンツ識別子に基づいて、例えばネットワークからダウンロードした写真などの画像、テキストデータが携帯端末装置１０のディスプレイに表示される。
【００３３】
図４に示すのは、本発明の最良の実施の形態に係るサーバファイル更新システム１によって出力されるホームページのコンテンツの一例について説明するための概念図である。図４（ａ）にあるように、ユーザ端末１３のディスプレイでは、ウェブサイト受信出力装置１２から出力される飲食店舗のホームページのテキスト情報を含む表示画面４００ａが出力表示されている。そして、図４（ｂ）に示すようにそのコンテンツデータと同じように、携帯端末装置１０である携帯電話機のディスプレイにタグとテキストを含む表示画面４００ｂが出力表示されている。
【００３４】
図５に示すのは、本発明の最良の実施の形態に係るサーバファイル更新システム１によって出力されるホームページのコンテンツの他の例について説明するための概念図である。図５（ａ）にあるように、ウェブサイト受信出力装置１２から出力される飲食店舗のホームページの画像情報を含む表示画面５００ａが出力表示されている。そして、図４（ｂ）に示すようにそのコンテンツデータと同じように、携帯端末装置１０である携帯電話機のディスプレイにタグとテキスト、さらに画像コンテンツを含む表示画面５００ｂが出力表示されている。
【００３５】
コンテンツデータ更新部１０４は、コンテンツデータ出力部１０３で出力されたコンテンツデータを更新する機能を有する。  
このように、コンテンツデータ更新部１０４によって、例えば「店舗のお勧めメニューの献立名」などのコンテンツを更新することができる。あるいは、そのテキストを更新したり、文字の大きさ、色の設定、表示のレイアウト位置などを更新することができる。
【００３６】
新コンテンツデータ作成部１０５は、コンテンツデータ更新部１０４で更新されたコンテンツデータから、新コンテンツデータを作成する機能を有する。  
「新コンテンツデータ」とは、ファイル識別子、更新箇所識別子、新コンテンツ識別子、を関連付けた情報をいう。など、この新コンテンツデータは、例えば、携帯端末に保存されている写真などを追加したホームページの各要素を表すための情報である。
【００３７】
「ファイル識別子」は、サーバに保持されているファイルを識別するための情報である。このファイル識別子を利用して、携帯端末装置と中継処理装置、中継処理装置とウェブサイト受信出力装置のファイルを更新することができる。
【００３８】
「更新箇所識別子」は、ファイル内のデータでファイルの更新箇所を識別するための情報である。そしてファイルの更新箇所とは、ファイル内のデータに任意の場所で設定する情報をいい、設定数などは複数であってよい。このファイルの更新箇所は、例えばホームページにおいて、おすすめメニュー箇所や、店内の写真の表示箇所などが挙げらえる。
【００３９】
「新コンテンツ識別子」は、携帯端末装置で更新された新しいコンテンツデータでホームページを構成するコンテンツを識別するための情報である。そして「新コンテンツ」とは、テキスト、画像、タグ、あるいはそれらの組み合わせなどさまざまな形態のデータであってよい。このコンテンツは、例えばホームページのお勧めメニューにおける献立の名前や、献立の写真などを示すようなコンテンツが挙げられる。あるいは、テキストなどであってもフォントの大きさや色、表示のレイアウト位置などをコンテンツとしてもよい。
【００４０】
新コンテンツデータ送信部１０６は、新コンテンツデータ作成部１０５で作成された新コンテンツデータを送信する機能を有する。
【００４１】
このように、新コンテンツデータ送信部１０６は、携帯端末装置１０で更新された新しいコンテンツデータを中継処理サーバに送信することができる。
【００４２】
＜中継処理装置＞
中継処理装置１１は、ウェブサイト受信出力装置１２に接続してサーバファイルを送受信するための装置をいい、例えば、サーバなどが挙げられる。そして、この中継処理装置は、ファイル取得部１１１と、ファイル解析部１１２と、コンテンツデータ送信部１１３と、新コンテンツデータ受信部１１４と、コンテンツ解析部１１５と、ファイル作成部１１６と、ファイル送信部１１７とを有する。
【００４３】
なお、中継処理装置１１の機能ブロックは、具体的に図示しないが、上述した携帯端末装置１０と同様にハードウェア、ソフトウェア、又はハードウェア及びソフトウェアの両方として実現され、これらハードウェアやソフトウェアは、メモリ上に展開したプログラムをＣＰＵで順次演算処理したり、メモリやハードディスク上に保持されているデータや、インターフェースを介して入力されたデータなどを加工、蓄積、出力処理したり、あるいは各ハードウェア構成部の制御を行ったりするために利用される。
【００４４】
ファイル取得部１１１は、ウェブサイト受信出力装置１２に接続してサーバファイルを取得する機能を有する。サーバファイルとは、ウェブサイト受信出力装置１２に保存されている、あるいは、ウェブサイト受信出力装置１２がネットワークを介して出力するデータをいう。
【００４５】
ファイル解析部１１２は、ファイル取得部１１１で取得されたファイルデータをコンテンツデータに解析する機能を有する。
【００４６】
コンテンツデータ送信部１１３は、ファイル解析部１１２で解析されたコンテンツデータを送信する機能を有する。
【００４７】
新コンテンツデータ受信部１１４は、新コンテンツデータを受信する機能を有する。  
このように、新コンテンツデータ受信部１１４は、携帯端末装置で更新された新しいコンテンツデータを受信することができる。
【００４８】
コンテンツ解析部１１５は、新コンテンツデータ受信部１１４で受信した新コンテンツデータを解析する機能を有する。
【００４９】
ファイル作成部１１６は、コンテンツ解析部１１５で解析された結果を元にファイルを作成する機能を有する。
【００５０】
ファイル送信部１１７は、ファイル作成部１１６で作成されたファイルを送信する機能を有する。  
このように、ファイル送信部１１７は、中継処理サーバで作成された新しいファイルをウェブサイト受信出力装置に送信することができる。
【００５１】
＜ウェブサイト受信出力装置＞
ウェブサイト受信出力装置１２は、中継処理装置１１から接続されサーバファイルを送受信するための装置をいい、例えば、サーバなどが挙げられる。そして、このウェブサイト受信出力装置は、リクエスト受信部１２１と、ファイル送信部１２２と、ホームページ表示部１２３と、ファイル受信部１２４とを有する。
【００５２】
なお、ウェブサイト受信出力装置１２の機能ブロックは、具体的に図示しないが、上述した携帯端末装置１０と同様にハードウェア、ソフトウェア、又はハードウェア及びソフトウェアの両方として実現され、これらハードウェアやソフトウェアは、メモリ上に展開したプログラムをＣＰＵで順次演算処理したり、メモリやハードディスク上に保持されているデータや、インターフェースを介して入力されたデータなどを加工、蓄積、出力処理したり、あるいは各ハードウェア構成部の制御を行ったりするために利用される。
【００５３】
リクエスト受信部１２１は、ＰＣからのウェブリクエストを受信する機能を有する。
【００５４】
ファイル送信部１２２は、リクエスト受信部１２１からリクエストされたファイルを送信する、あるいは、指定されたサーバファイルを送信する機能を有する。
【００５５】
ホームページ表示部１２３は、リクエスト受信部１２１からリクエストされたファイル送信部１２２から送信されるホームページを出力する機能を有する。
【００５６】
ファイル受信部１２４は、ファイルを受信する機能を有する。  
このように、ファイル受信部は、中継処理サーバで作成された新しいファイルをウェブサイト受信出力装置に受信させることができる。
【００５７】
以上のように、本発明の最良の実施の形態のサーバファイル更新システムによって、ウェブサイト受信出力装置で保持されるサーバファイルを中継処理装置でデータを携帯端末装置に中継し、コンテンツデータを表示した上でそのコンテンツデータを更新し、中継処理装置から、ウェブサイト受信出力装置に保存されているサーバファイルを更新することを行うことができる。
【図面の簡単な説明】
【００５８】
【図１】本発明の最良の実施の形態に係るサーバファイル更新システムの概要の一例を説明する図である。
【図２】本発明の最良の実施の形態に係るサーバファイル更新システムにおける機能ブロックの一例を表す図である。
【図３】本発明の最良の実施の形態に係るサーバファイル更新システムにおいて取得されるコンテンツデータの一例について説明する図である。
【図４】本発明の最良の実施の形態に係るサーバファイル更新システムにおけるコンテンツ出力の一例について説明する図である。
【図５】本発明の最良の実施の形態に係るサーバファイル更新システムにおけるコンテンツ出力の他の一例について説明する図である。
【符号の説明】
【００５９】
１…サーバファイル更新システム
１０…携帯端末装置
１１…中継処理装置
１２…ウェブサイト受信出力装置
１３…ユーザ端末
１０１…コンテンツデータ取得部
１０２…コンテンツデータ解析部
１０３…コンテンツデータ出力部
１０４…コンテンツデータ更新部
１０５…新コンテンツデータ作成部
１０６…新コンテンツデータ送信部
１１１…ファイル取得部
１１２…ファイル解析部
１１３…コンテンツデータ送信部
１１４…新コンテンツデータ受信部
１１５…コンテンツ解析部
１１６…ファイル作成部
１１７…ファイル送信部
１２１…リクエスト受信部
１２２…ファイル送信部
１２３…ホームページ表示部
１２４…ファイル受信部
【図１】
2007115100.tif 000003
【図２】
2007115100.tif 000004
【図３】
2007115100.tif 000005
【図４】
2007115100.tif 000006
【図５】
2007115100.tif 000007